(57)【要約】【課題】  刃体の先端寄り部分において切断する場合に強力な切断力を発揮することができる植木鋏を提供すること。【解決手段】  受け刃１があるハンドル２と切り刃３があるハンドル４とをＸ字状に枢着した型式の植木鋏において、トグル機構を作動時において受け刃１と切り刃３とが切断体制となるように設けると共に、トグル機構の受動肘部８に伸縮作動機構１２の先端部を連結し、かつ両ハンドル２，４にはその閉動に伴い前方に進出する加圧リンク機構を設けてこの加圧リンク機構の駆動端部１１を伸縮作動機構の後端部に連結し、前記伸縮作動機構１２としては圧縮ばね１５を一定程度圧縮して蓄積したエネルギーを一挙に解放してトグル機構の受動肘部８に加え、更にトグル機構により増力するるように構成したことを特徴とする。【選択図】        図４
2007049973.tif 000002
【特許請求の範囲】
【請求項１】
受け刃があるハンドルと切り刃があるハンドルとをＸ字状に枢着し、両ハンドルを閉じることにより、被切断物を受け刃と切り刃とにより挟んで切断する型式の植木鋏であって、トグル機構を作動時において受け刃と切り刃とが切断体制となるように止軸に近い両ハンドルに関連して設けると共に、トグル機構の受動肘部に伸縮作動機構の先端を連結し、かつ両ハンドルには閉動に伴い前方に進出する加圧リンク機構を設けてこの加圧リンク機構の駆動端部を伸縮作動機構の後端部に連結し、前記伸縮作動機構は圧縮ばねを一定程度圧縮して蓄積したエネルギーを一挙に解放してトグル機構の受動部に加えることができるようにしたことを特徴とする増力型植木鋏。
【発明の詳細な説明】
【技術分野】
【０００１】  本発明は、植木鋏詳しくはせん断力を蓄積して強力に出力することができる植木鋏に関するものである。
【背景技術】
【０００２】  従来の植木鋏は、てこを利用したもの、てことリンクとの組み合わせを利用したもの等多数の種類がある。
【発明の開示】
【発明が解決しようとする課題】
【０００３】  てこを利用した植木鋏において強力な出力を得るためには、一般的に力点と支点との距離が支点と作用点との距離に比較して大きいほど強力となるのであるから、太い枝を切断するためには、必然的に力点と支点との距離を大きく、即ちハンドルの長さを著しく長く製作しなければならない欠点がある。また、刃体の基部寄りよりも先端寄り部分において切断する場合の方が、支点と作用点との距離が大きい関係上、強力な操作力を加える必要がある。そこで本発明の目的は、比較的短いハンドルにも拘わらず強力な出力を得ることができる植木鋏を提供することにあリ、特に、刃体の先端寄り部分において切断する場合に強力な切断力を得ることができる増力型植木鋏を提供することにある。
【課題を解決するための手段】
【０００４】  上記目的を達成するため本発明は、受け刃があるハンドルと切り刃があるハンドルとをＸ字状に枢着し、両ハンドルを閉じることにより、被切断物を受け刃と切り刃とにより挟んで切断する型式の植木鋏において、トグル機構を作動時において受け刃と切り刃とが切断体制となるように設けると共に、トグル機構の受動肘部に伸縮作動機構の先端を連結し、かつ別に両ハンドルにはその閉動に伴い前方に進出する加圧リンク機構を設けてこの加圧リンク機構の駆動端部を伸縮作動機構の後端部に連結し、前記伸縮作動機構としては圧縮ばねを一定程度圧縮して蓄積したエネルギーを一挙に解放してトグル機構の受動肘部に加えるように構成したことを特徴とする。
【発明の効果】
【０００５】  本発明によれば、エネルギーを蓄積する伸縮作動機構を設けて切断操作の初期のエネルギーの一部を蓄積した後、切断操作の後期に一挙に解放することができるように構成したから、切断操作の後期においては、ハンドルに対する操作力と蓄積エネルギーとが相俟って強力な切断力を発揮させることができる。
【発明を実施するための最良の形態】
【０００６】  以下、本発明を図示の実施形態について詳細に説明するが、適用対象としての植木鋏としては、例えば図１のように、受け刃１があるハンドル２と切り刃３があるハンドル４とを止軸５によりＸ字状に枢着し、両ハンドル２と４とを閉じることにより、被切断物を受け刃１と切り刃３とにより挟んで切断する型式を採択する。【０００７】  上記型式に対する本発明の特殊構成としては、図１および図２のように、止軸５に近い両ハンドル２と４とに比較的短いトグルリンク６を先端においてピン７により枢着すると共に、両トグルリンク６の基部をピンにより前方に開くＶ字状に枢着してこの枢着部を受動肘部８とし、両トグルリンク６が開くと受け刃１と切り刃３とが閉じるトグル機構を構成し、かつ別に両ハンドル２と４との中間部付近には、前記トグルリンク６よりも著しく長い作動リンク９をその基部においてピン１０により枢着する共に、両作動リンク９の先端をピンにより後方に開くＶ字状に枢着してこの枢着部を駆動端部１１とし、両作動リンク９の開閉に伴い駆動端部１１が進退する加圧リンク機構を構成し、この加圧リンク機構と前記トグル機構との中間に圧縮ばねに蓄積したエネルギーを瞬時に解放することができる圧縮ばね使用型の伸縮作動機構１２を介設する。【０００８】  前記伸縮作動機構１２としては、例えば図２および図３に詳示するように、基部に取付座１３がある円筒状のばね受座１４を設けてその内部にコイル状の圧縮ばね１５を収容し、圧縮ばね１５の先端には短円柱状のばね受片１６を圧縮ばね１５の伸縮に伴いばね受座１４の先端寄り部においてスライドするように嵌挿し、かつ別に前端に取付座１７を設けると共に、取付座１７に近い後方には先端に掛爪１８がある板ばね状の掛止片１９を設けた円筒状の係止体２０を用意し、この係止体２０を前記ばね受座１４の外周側に緩嵌した状態のもとに、軸方向にスライドすることができるようにし、これによりばね受片１６の後退位置において掛爪１８が板ばねによる付勢によりばね受片１６の前端角部に係合するようにし、更に掛止片１９はこれを適度に内向きに屈曲させ、ばね受片１６の前方への進出に伴いばね受片１６の先端縁により掛止片１９を第２図鎖線および第６図のように外向きに拡開させて掛爪１８によるばね受片１６の拘束を解除することができるようにする。【０００９】  前記伸縮作動機構１２はこれをその前後両端の取付座１７および取付座１３においてトグル機構における受動肘部８および加圧リンク機構における駆動端部１１により各別に枢着連結し、これにより図１および図４のように両ハンドル２と４とを全開状態にすると、受け刃１と切り刃３とは大きく開くと同時に、両作動リンク９は拡開してばね受座１４を後退させ、圧縮ばね１５は伸張状態となる。両トグルリンク６は先端における両ピン７部が互いに接近して両トグルリンク６が閉じた状態のもとに、受動肘部８により枢着した係止体２０を後退させ、係止体２０の掛爪１８はばね受片１６の前端角部に係合する。【００１０】  両ハンドル２と４とを図４のような全開状態から、図５のように一定程度閉じることにより、受け刃１と切り刃３を一定程度閉じて被切断物を一定程度切断すると同時に、掛爪１８とばね受片１��とが係合状態のまま、ばね受座１４とばね受片１６とにより圧縮ばね１５を圧縮し、かつ両トグルリンク６を一定程度拡開する。【００１１】  両ハンドル２と４とを図６のように更に閉じることにより、係止体２０内においてばね受座１４を進出させ、ばね受座１４の先端縁により掛止片１９を拡開し、掛爪１８によるばね受片１６の拘束を解除して圧縮ばね１５の解放によりばね受片１６を前方へ進出させ、ばね受片１６の前端面を取付座１７に衝触させて受動肘部８を押圧し、トグルリンク６を限界まで拡開してトグル作用により両ハンドル２と４とを強力に閉じるようにする。従って両ハンドル２と４とに対する操作力と相俟って、受け刃１と切り刃３とに強力な切断力を付与することができる。なお、切断時の反動は加圧リンク機構に対してはハンドル２と４とを拡開する方向へは僅かである。【００１２】  切断後は、両ハンドル２と４とを拡開することにより、図１および図４のように受け刃１と切り刃３とを次回の切断開始体制にすることができる。なお、ばね受片１６に直径方向へ貫通するほか軸方向へ長い長孔２１を穿設すると共に、ばね受座１４にはその先端寄りに直径方向の止めピン２２を長孔２１に係合させて係止機構を構成し、これにより切断開始体制にする際に、ばね受座１４の後退に伴いばね受片１６を強制的に後退させてその前端角部を掛爪１８に係合させるようにするのが望ましい。
【図面の簡単な説明】
【００１３】
【図１】  本発明増力型植木鋏の一実施形態を示す開いた状態の平面図である。
【図２】  図１の植木鋏の要部の一部横断平面図である。
【図３】  係止体だけの斜面図である。
【図４】  図１の植木鋏の一部横断平面略図である。
【図５】  図４の植木鋏の切断過程を示す平面図である。
【図６】  図４の植木鋏の切断後の状態を示す平面図である。
【符号の説明】
【００１４】１  受け刃
２  ハンドル
３  切り刃
５  止軸
４  ハンドル
８  受動肘部
１１  駆動端部
１２  伸縮作動機構
１５  圧縮ばね
【図１】
2007049973.tif 000003
【図２】
2007049973.tif 000004
【図３】
2007049973.tif 000005
【図４】
2007049973.tif 000006
【図５】
2007049973.tif 000007
【図６】
2007049973.tif 000008